(57)【要約】【課題】  利用者が希望しない印刷ジョブを印刷することを防止することができる画像形成装置を提供する。【解決手段】  複合機は、印刷ジョブを印刷するプリンタと、印刷が終了していない印刷ジョブを記憶する記憶部と、記憶部に記憶された印刷ジョブを表示するモニタと、記憶部に記憶された印刷ジョブの印刷の指示を利用者から受け付ける操作部と、印刷ジョブをプリンタに印刷させる制御部とを備えており、制御部は、用紙切れが発生した後で用紙が補給されたときに記憶部に記憶された印刷ジョブが複数である場合（Ｓ７２でＹＥＳ）、記憶部に記憶された印刷ジョブをモニタに表示させ（Ｓ７６）、記憶部に記憶された印刷ジョブの印刷の指示を操作部に受け付けさせ（Ｓ７７）、操作部によって指示を受け付けた印刷ジョブをプリンタに印刷させる（Ｓ７３）ことを特徴とする。【選択図】  図５
2011073181.tif 000002
【特許請求の範囲】
【請求項１】
印刷ジョブを印刷する印刷手段と、印刷が終了していない前記印刷ジョブを記憶するジョブ記憶手段と、前記ジョブ記憶手段に記憶された前記印刷ジョブを表示するジョブ表示手段と、前記ジョブ記憶手段に記憶された前記印刷ジョブの印刷の指示を利用者から受け付ける印刷指示受付手段と、前記印刷ジョブを前記印刷手段に印刷させる制御手段とを備えており、
前記制御手段は、用紙切れが発生した後で用紙が補給されたときに前記ジョブ記憶手段に記憶された前記印刷ジョブが複数である場合、前記ジョブ記憶手段に記憶された前記印刷ジョブを前記ジョブ表示手段に表示させ、前記ジョブ記憶手段に記憶された前記印刷ジョブの印刷の指示を前記印刷指示受付手段に受け付けさせ、前記印刷指示受付手段によって前記指示を受け付けた前記印刷ジョブを前記印刷手段に印刷させることを特徴とする画像形成装置。
【請求項２】
前記制御手段は、前記ジョブ記憶手段に記憶された前記印刷ジョブが複数であるときに、前記ジョブ記憶手段に記憶された複数の前記印刷ジョブのうち、任意の前記印刷ジョブの印刷の指示を前記印刷指示受付手段に受け付けさせることを特徴とする請求項１に記載の画像形成装置。
【請求項３】
前記制御手段は、前記用紙切れが発生した後で前記用紙が補給されたときに前記ジョブ記憶手段に記憶された前記印刷ジョブが１つである場合、前記ジョブ記憶手段に記憶された前記印刷ジョブの印刷の指示を前記印刷指示受付手段に受け付けさせずに、前記ジョブ記憶手段に記憶された前記印刷ジョブを前記印刷手段に印刷させることを特徴とする請求項１または請求項２に記載の画像形成装置。
【請求項４】
印刷ジョブを印刷する画像形成装置における画像形成方法であって、
前記画像形成装置に用紙切れが発生した後で前記画像形成装置に用紙が補給されたときに、印刷が終了していない前記印刷ジョブが複数ある場合、印刷が終了していない前記印刷ジョブを前記画像形成装置が表示し、印刷が終了していない前記印刷ジョブの印刷の指示を前記画像形成装置が利用者から受け付け、前記画像形成装置によって前記指示を受け付けた前記印刷ジョブを前記画像形成装置が印刷することを特徴とする画像形成方法。
【発明の詳細な説明】
【技術分野】
【０００１】
本発明は、用紙に画像を印刷する画像形成装置および画像形成方法に関する。
【背景技術】
【０００２】
従来、用紙切れが発生した後に用紙が補給されても印刷を再開せず、利用者から強制継続の最終確認があったときに補給された用紙に画像を印刷する画像形成装置が知られている（例えば、特許文献１参照。）。
【先行技術文献】
【特許文献】
【０００３】
【特許文献１】特開２００８−７６９２０号公報
【発明の概要】
【発明が解決しようとする課題】
【０００４】
しかしながら、従来の画像形成装置においては、利用者から強制継続の最終確認があった時点で利用者の印刷ジョブの他に他人の印刷ジョブも溜まっていると、利用者から強制継続の最終確認があったときに、利用者の印刷ジョブが印刷されるだけではなく、他人の印刷ジョブも印刷されてしまう。つまり、従来の画像形成装置においては、利用者が希望する印刷ジョブ以外の印刷ジョブが印刷されてしまう。
【０００５】
例えば、利用者Ａは、所定のフォームが印刷されている専用の用紙を使用して画像形成装置に複数枚の印刷を実行させていたとする。このとき、画像形成装置は、複数枚の印刷の途中で用紙切れが発生してしまったとする。用紙切れの発生時点で、画像形成装置には、利用者Ａの印刷ジョブが溜まっている。その後、利用者Ｂは、画像形成装置に用紙切れが発生していることに気付かずに、通常の用紙に印刷されれば良い画像を印刷するように画像形成装置に要求したとする。この時点で、画像形成装置には、利用者Ａの印刷ジョブだけではなく、利用者Ｂの印刷ジョブも溜まっている。そして、利用者Ｂは、画像形成装置による印刷が開始されないことによって、画像形成装置に用紙切れが発生していることを知って、画像形成装置に通常の用紙を補給し、強制継続の最終確認を行ったとする。すると、利用者Ｂの印刷ジョブが通常の用紙に印刷されるだけではなく、利用者Ａの印刷ジョブも通常の用紙に印刷される。このように、利用者Ａの印刷ジョブは、本来印刷されるべき専用の用紙ではなく、通常の用紙に印刷されてしまう。つまり、画像形成装置は、利用者Ａの印刷ジョブ、すなわち、利用者Ｂが希望する印刷ジョブ以外の印刷ジョブを印刷してしまう。
【０００６】
そこで、本発明は、利用者が希望しない印刷ジョブを印刷することを防止することができる画像形成装置を提供することを目的とする。
【課題を解決するための手段】
【０００７】
本発明の画像形成装置は、印刷ジョブを印刷する印刷手段と、印刷が終了していない前記印刷ジョブを記憶するジョブ記憶手段と、前記ジョブ記憶手段に記憶された前記印刷ジョブを表示するジョブ表示手段と、前記ジョブ記憶手段に記憶された前記印刷ジョブの印刷の指示を利用者から受け付ける印刷指示受付手段と、前記印刷ジョブを前記印刷手段に印刷させる制御手段とを備えており、前記制御手段は、用紙切れが発生した後で用紙が補給されたときに前記ジョブ記憶手段に記憶された前記印刷ジョブが複数である場合、前記ジョブ記憶手段に記憶された前記印刷ジョブを前記ジョブ表示手段に表示させ、前記ジョブ記憶手段に記憶された前記印刷ジョブの印刷の指示を前記印刷指示受付手段に受け付けさせ、前記印刷指示受付手段によって前記指示を受け付けた前記印刷ジョブを前記印刷手段に印刷させることを特徴とする。
【０００８】
この構成により、本発明の画像形成装置は、用紙切れが発生した後で用紙が補給されたときに印刷が終了していない印刷ジョブが複数である場合、印刷が終了していない印刷ジョブを利用者に確認させた後、利用者からの指示に応じて印刷ジョブを印刷するので、利用者が希望しない印刷ジョブを印刷することを防止することができる。
【０００９】
また、本発明の画像形成装置の前記制御手段は、前記ジョブ記憶手段に記憶された前記印刷ジョブが複数であるときに、前記ジョブ記憶手段に記憶された複数の前記印刷ジョブのうち、任意の前記印刷ジョブの印刷の指示を前記印刷指示受付手段に受け付けさせることが好ましい。
【００１０】
この構成により、本発明の画像形成装置は、用紙切れが発生した後で用紙が補給されたときに印刷が終了していない印刷ジョブが複数である場合、印刷が終了していない印刷ジョブを利用者に確認させた後、利用者によって選択された印刷ジョブを印刷することができるので、利用者が希望する印刷ジョブのみを印刷することができる。
【００１１】
また、本発明の画像形成装置の前記制御手段は、前記用紙切れが発生した後で前記用紙が補給されたときに前記ジョブ記憶手段に記憶された前記印刷ジョブが１つである場合、前記ジョブ記憶手段に記憶された前記印刷ジョブの印刷の指示を前記印刷指示受付手段に受け付けさせずに、前記ジョブ記憶手段に記憶された前記印刷ジョブを前記印刷手段に印刷させることが好ましい。
【００１２】
この構成により、本発明の画像形成装置は、用紙切れが発生した後で用紙が補給されたときに印刷が終了していない印刷ジョブが１つである場合、利用者からの印刷ジョブの印刷の指示を受けることなく印刷ジョブを印刷するので、利用者を煩わせることなく印刷ジョブを印刷することができる。
【００１３】
また、本発明の画像形成方法は、印刷ジョブを印刷する画像形成装置における画像形成方法であって、前記画像形成装置に用紙切れが発生した後で前記画像形成装置に用紙が補給されたときに、印刷が終了していない前記印刷ジョブが複数ある場合、印刷が終了していない前記印刷ジョブを前記画像形成装置が表示し、印刷が終了していない前記印刷ジョブの印刷の指示を前記画像形成装置が利用者から受け付け、前記画像形成装置によって前記指示を受け付けた前記印刷ジョブを前記画像形成装置が印刷することを特徴とする。
【００１４】
この構成により、本発明の画像形成方法を実行する画像形成装置は、用紙切れが発生した後で用紙が補給されたときに印刷が終了していない印刷ジョブが複数である場合、印刷が終了していない印刷ジョブを利用者に確認させた後、利用者からの指示に応じて印刷ジョブを印刷するので、利用者が希望しない印刷ジョブを印刷することを防止することができる。
【発明の効果】
【００１５】
本発明の画像形成装置は、利用者が希望しない印刷ジョブを印刷することを防止することができる。
【図面の簡単な説明】
【００１６】
【図１】本発明の一実施の形態に係るコンピュータネットワークのシステム構成を示すブロック図である。
【図２】図１に示す複合機の構成を示すブロック図である。
【図３】図２に示す記憶部に記憶されている印刷ジョブを示す図である。
【図４】用紙切れが発生しているときの図２に示す複合機の動作のフローチャートである。
【図５】用紙が補給されて用紙切れが解消されたときの図２に示す複合機の動作のフローチャートである。
【図６】図２に示すモニタに表示される状況確認画面の図である。
【発明を実施するための形態】
【００１７】
以下、本発明の一実施の形態について、図面を用いて説明する。
【００１８】
まず、本実施の形態に係るコンピュータネットワークの構成について説明する。
【００１９】
図１は、本実施の形態に係るコンピュータネットワーク１０のシステム構成を示すブロック図である。
【００２０】
図１に示すように、コンピュータネットワーク１０は、本発明の画像形成装置としての複合機２０と、複合機２０に印刷させるデータを複合機２０に送信したり複合機２０によって読み取られたデータを受信したりするホストコンピュータ４０とを備えている。複合機２０およびホストコンピュータ４０は、互いに通信可能な状態でＬＡＮ（Ｌｏｃａｌ  Ａｒｅａ  Ｎｅｔｗｏｒｋ）１１に接続されている。
【００２１】
なお、コンピュータネットワーク１０は、ホストコンピュータ４０と同様のホストコンピュータを多数備えており、それらのホストコンピュータを利用する多数の利用者によって複合機２０が共用されるようになっている。
【００２２】
図２は、複合機２０の構成を示すブロック図である。
【００２３】
図２に示すように、複合機２０は、装置全体を制御する制御部２１と、種々の情報を記憶する記憶部２２と、利用者によって種々の操作が入力される操作パネル上の操作部２３と、種々の情報を表示する操作パネル上のモニタ２４と、ホストコンピュータ４０などの外部の装置とＬＡＮ１１を介して通信を行うための通信部２５と、画像を読み取るスキャナ２６と、印刷ジョブを印刷する印刷手段としてのプリンタ２７と、図示していないトレイに存在する用紙を検知する用紙センサ２８とを備えている。
【００２４】
制御部２１は、例えば、ＣＰＵ（Ｃｅｎｔｒａｌ  Ｐｒｏｃｅｓｓｉｎｇ  Ｕｎｉｔ）や、ＣＰＵが実行するプログラムが記憶されたＲＯＭ（Ｒｅａｄ  Ｏｎｌｙ  Ｍｅｍｏｒｙ）などから構成されている。モニタ２４は、例えばＬＣＤ（Ｌｉｑｕｉｄ  Ｃｒｙｓｔａｌ  Ｄｉｓｐｌａｙ）などから構成されている。操作部２３は、モニタ２４とともにタッチパネルを形成するボタンや、操作パネル上のボタンなどから構成されている。記憶部２２は、例えばハードディスクなどから構成されている。用紙センサ２８は、例えば、発光部で発せられた光がトレイに存在する用紙に遮られて受光部で受けることができないことによって、トレイに用紙が存在することを検知する光センサによって構成されている。
【００２５】
記憶部２２は、プリンタ２７による印刷が終了していない印刷ジョブ２２ａを図３に示すように複数記憶することができるようになっており、本発明のジョブ記憶手段を構成している。
【００２６】
次に、コンピュータネットワーク１０の動作について説明する。
【００２７】
利用者がホストコンピュータ４０から印刷の指示をＬＡＮ１１を介して複合機２０に送信すると、複合機２０の制御部２１は、ホストコンピュータ４０からの指示を通信部２５を介して受信する。そして、制御部２１は、ホストコンピュータ４０から送信されるデータを印刷ジョブ２２ａとして記憶部２２に記憶して、記憶部２２に記憶した印刷ジョブ２２ａをプリンタ２７によって用紙に印刷させる。制御部２１は、印刷が完了した印刷ジョブ２２ａを記憶部２２から削除する。
【００２８】
用紙切れが発生しているときの複合機２０の動作について説明する。
【００２９】
図４は、用紙切れが発生しているときの複合機２０の動作のフローチャートである。
【００３０】
複合機２０の制御部２１は、用紙切れが発生しているか否かを用紙センサ２８の出力によって常時監視している。そして、制御部２１は、用紙切れが発生しているときに、図４に示す処理を繰り返している。
【００３１】
図４に示すように、制御部２１は、用紙切れ確認ジョブ（図３参照。）となっていない印刷ジョブ２２ａが記憶部２２に記憶されているか否かを判断する（ステップＳ６１）。ここで、用紙切れ確認ジョブとは、用紙切れが発生しているときに存在する、印刷が終了していない印刷ジョブ２２ａのことである。図３に示す印刷ジョブ２２ａにおいては、用紙切れ確認ジョブであれば「用紙切れ確認ジョブ」の欄が「○」で表され、用紙切れ確認ジョブでなければ「用紙切れ確認ジョブ」の欄が「×」で表される。
【００３２】
制御部２１は、用紙切れ確認ジョブとなっていない印刷ジョブ２２ａが記憶部２２に記憶されているとステップＳ６１において判断すると、用紙切れ確認ジョブとなっていない印刷ジョブ２２ａを用紙切れ確認ジョブとして記憶部２２に記憶させる（ステップＳ６２）。一方、制御部２１は、用紙切れ確認ジョブとなっていない印刷ジョブ２２ａが記憶部２２に記憶されていないとステップＳ６１において判断すると、図４に示す処理を終了する。
【００３３】
このように、制御部２１は、用紙切れが発生しているときに図４に示す処理を繰り返しているので、用紙切れが発生したときにプリンタ２７による印刷中であった印刷ジョブ２２ａや、用紙切れが発生したときにプリンタ２７によって印刷されるまで待機中であった印刷ジョブ２２ａや、用紙切れが発生してから用紙が補給されるまでの間に新たに記憶部２２に記憶された印刷ジョブ２２ａなどを用紙切れ確認ジョブとして記憶部２２に記憶させることができる。
【００３４】
用紙が補給されて用紙切れが解消されたときの複合機２０の動作について説明する。
【００３５】
図５は、用紙が補給されて用紙切れが解消されたときの複合機２０の動作のフローチャートである。
【００３６】
複合機２０の制御部２１は、上述したように、用紙切れが発生しているか否かを用紙センサ２８の出力によって常時監視している。そして、制御部２１は、用紙が補給されて用紙切れが解消されたときに、図５に示す処理を開始する。
【００３７】
図５に示すように、制御部２１は、用紙切れ確認ジョブが記憶部２２に記憶されているか否かを判断する（ステップＳ７１）。
【００３８】
制御部２１は、用紙切れ確認ジョブが記憶部２２に記憶されていないとステップＳ７１において判断すると、図５に示す処理を終了する。一方、制御部２１は、用紙切れ確認ジョブが記憶部２２に記憶されているとステップＳ７１において判断すると、複数の用紙切れ確認ジョブが記憶部２２に記憶されているか否かを判断する（ステップＳ７２）。
【００３９】
制御部２１は、複数の用紙切れ確認ジョブが記憶部２２に記憶されていない、すなわち用紙切れ確認ジョブが１つだけ記憶部２２に記憶されているとステップＳ７２において判断すると、記憶部２２に記憶されている用紙切れ確認ジョブをプリンタ２７によって用紙に印刷させて（ステップＳ７３）、ステップＳ７３において印刷が完了した印刷ジョブ２２ａを記憶部２２から削除する（ステップＳ７４）。
【００４０】
制御部２１は、ステップＳ７４の処理の後、用紙切れ確認ジョブが記憶部２２に記憶されているか否かを判断する（ステップＳ７５）。
【００４１】
制御部２１は、用紙切れ確認ジョブが記憶部２２に記憶されていないとステップＳ７５において判断すると、図５に示す処理を終了する。
【００４２】
制御部２１は、複数の用紙切れ確認ジョブが記憶部２２に記憶されているとステップＳ７２において判断すると、モニタ２４に図６に示す状況確認画面を表示させる（ステップＳ７６）。図６に示す状況確認画面は、記憶部２２に記憶されている全ての用紙切れ確認ジョブが確認可能になっており、「用紙切れ中に印刷要求を受けています。印刷を行う印刷ジョブを選択してください。」というメッセージが表示されている。このように、モニタ２４は、記憶部２２に記憶された印刷ジョブ２２ａを表示するようになっており、本発明のジョブ表示手段を構成している。
【００４３】
また、図６に示す状況確認画面においては、表示されている印刷ジョブが選択されることができる。図６に示す状況確認画面において選択された印刷ジョブは、背景がグレーで表示される。つまり、図６においては、番号が「００００４５」である印刷ジョブが選択されている。
【００４４】
利用者は、図６に示す状況確認画面において操作部２３によって「全印刷再開」ボタンか「優先印刷」ボタンを押すことによって、印刷を行う印刷ジョブを選択することができる。利用者は、操作部２３によって「全印刷再開」ボタンを押すことによって、記憶部２２に記憶されている全ての用紙切れ確認ジョブを、印刷を行う印刷ジョブとして選択することができる。また、利用者は、操作部２３によって「優先印刷」ボタンを押すことによって、記憶部２２に記憶されている用紙切れ確認ジョブのうち図６に示す状況確認画面において選択されていた用紙切れ確認ジョブを、印刷を行う印刷ジョブとして選択することができる。このように、操作部２３は、記憶部２２に記憶された印刷ジョブ２２ａの印刷の指示を利用者から受け付けるようになっており、本発明の印刷指示受付手段を構成している。
【００４５】
図５に示すように、制御部２１は、ステップＳ７６の処理の後、印刷を行う印刷ジョブが選択されたか否かを判断する（ステップＳ７７）。
【００４６】
制御部２１は、印刷を行う印刷ジョブが選択されたとステップＳ７７において判断すると、選択された印刷ジョブを最優先印刷ジョブ（図３参照。）として記憶部２２に記憶し（ステップＳ７８）、記憶部２２に記憶されている最優先印刷ジョブをプリンタ２７によって用紙に印刷させる（ステップＳ７３）。このように、制御部２１は、印刷ジョブをプリンタ２７に印刷させるようになっており、本発明の制御手段を構成している。なお、図３に示す印刷ジョブ２２ａにおいては、最優先印刷ジョブであれば「最優先印刷ジョブ」の欄が「○」で表され、最優先印刷ジョブでなければ「最優先印刷ジョブ」の欄が「×」で表される。
【００４７】
利用者は、図６に示す状況確認画面において操作部２３によって「中止」ボタンを押すことによって、記憶部２２に記憶されている用紙切れ確認ジョブのうち図６に示す状況確認画面において選択されていた用紙切れ確認ジョブを、印刷を中止する印刷ジョブとして選択することができる。
【００４８】
図５に示すように、制御部２１は、印刷を行う印刷ジョブが選択されなかったとステップＳ７７において判断すると、「中止」ボタンが押されたか否かを判断する（ステップＳ７９）。
【００４９】
制御部２１は、「中止」ボタンが押されなかったとステップＳ７９において判断すると、再びステップＳ７７の処理に戻る。一方、制御部２１は、「中止」ボタンが押されたとステップＳ７９において判断すると、選択された印刷ジョブ２２ａを記憶部２２から削除し（ステップＳ８０）、ステップＳ７５の処理を実行する。
【００５０】
制御部２１は、用紙切れ確認ジョブが記憶部２２に記憶されているとステップＳ７５において判断すると、ステップＳ７６の処理を実行する。
【００５１】
以上に説明したように、図５に示す処理によれば、用紙が補給されて用紙切れが解消されたときに、用紙切れ確認ジョブが１つだけ記憶部２２に記憶されていると、図６に示す状況確認画面が表示されることなく、その用紙切れ確認ジョブが印刷される。
【００５２】
また、用紙が補給されて用紙切れが解消されたときに、複数の用紙切れ確認ジョブが記憶部２２に記憶されていると、図６に示す状況確認画面が表示された後、利用者によって選択された印刷ジョブ２２ａが印刷または削除されることによって全ての用紙切れ確認ジョブが記憶部２２から削除されるまで、図６に示す状況確認画面が表示される。
【００５３】
なお、図６に示す状況確認画面において、印刷ジョブは、上に表示されているものほど順位が上である。この順位は、例えば「全印刷再開」ボタンが押された後の印刷においての印刷の順番に対応している。利用者は、順位が２位以下の印刷ジョブを選択中に「順位を上げる」ボタンを押すことができ、「順位を上げる」ボタンを押すことによって選択中の印刷ジョブの順位を上げることができる。
【００５４】
また、利用者は、図６に示す状況確認画面において「詳細」ボタンを押すことによって、選択中の印刷ジョブについて、印刷枚数などの詳細な情報を確認することができる。
【００５５】
以上に説明したように、複合機２０の制御部２１は、用紙切れが発生した後で用紙が補給されたときに記憶部２２に記憶された印刷ジョブ２２ａが複数である場合（ステップＳ７２でＹＥＳ）、記憶部２２に記憶された印刷ジョブ２２ａをモニタ２４に表示させ（ステップＳ７６）、記憶部２２に記憶された印刷ジョブ２２ａの印刷の指示を操作部２３に受け付けさせ（ステップＳ７７）、操作部２３によって指示を受け付けた印刷ジョブ２２ａをプリンタ２７に印刷させる（ステップＳ７３）ようになっている。したがって、複合機２０は、用紙切れが発生した後で用紙が補給されたときに印刷が終了していない印刷ジョブ２２ａが複数である場合、印刷が終了していない印刷ジョブ２２ａを利用者に確認させた後、利用者からの指示に応じて印刷ジョブ２２ａを印刷するので、利用者が希望しない印刷ジョブ２２ａを印刷することを防止することができる。
【００５６】
また、制御部２１は、記憶部２２に記憶された印刷ジョブ２２ａが複数であるとき（ステップＳ７２でＹＥＳ）に、記憶部２２に記憶された複数の印刷ジョブ２２ａのうち、任意の印刷ジョブ２２ａの印刷の指示を「優先印刷」ボタンで操作部２３に受け付けさせる（ステップＳ７７）ようになっている。したがって、複合機２０は、用紙切れが発生した後で用紙が補給されたときに印刷が終了していない印刷ジョブ２２ａが複数である場合、印刷が終了していない印刷ジョブ２２ａを利用者に確認させた後、利用者によって選択された印刷ジョブ２２ａを印刷することができるので、利用者が希望する印刷ジョブ２２ａのみを印刷することができる。
【００５７】
また、制御部２１は、用紙切れが発生した後で用紙が補給されたときに記憶部２２に記憶された印刷ジョブ２２ａが１つである場合（ステップＳ７２でＮＯ）、記憶部２２に記憶された印刷ジョブ２２ａの印刷の指示を操作部２３に受け付けさせずに、記憶部２２に記憶された印刷ジョブ２２ａをプリンタ２７に印刷させる（ステップＳ７３）ようになっている。したがって、複合機２０は、用紙切れが発生した後で用紙が補給されたときに印刷が終了していない印刷ジョブ２２ａが１つである場合、利用者からの印刷ジョブ２２ａの印刷の指示を受けることなく印刷ジョブ２２ａを印刷するので、利用者を煩わせることなく印刷ジョブ２２ａを印刷することができる。
【００５８】
一方、制御部２１は、記憶部２２に記憶された印刷ジョブ２２ａが複数であるとき（ステップＳ７２でＹＥＳ）には、記憶部２２に記憶された用紙切れ確認ジョブが１つだけになったとしても（ステップＳ７５でＹＥＳ）、記憶部２２に記憶された印刷ジョブ２２ａをモニタ２４に表示させ（ステップＳ７６）、記憶部２２に記憶された印刷ジョブ２２ａの印刷の指示を操作部２３に受け付けさせる（ステップＳ７７）ようになっている。これは、最後に残った用紙切れ確認ジョブが用紙を補給した利用者の印刷ジョブとは限らないからである。この構成によって、複合機２０は、最後に残った用紙切れ確認ジョブを作成した利用者に、希望の用紙を補給する機会を提供することができる。
【００５９】
なお、本実施の形態においては、ホストコンピュータ４０から送信された印刷ジョブについて説明しているが、例えばスキャナ２６で読み取った原稿の画像をプリンタ２７で印刷するコピーの印刷ジョブのように、複合機２０自身で生成した印刷ジョブについても同様である。
【００６０】
また、複合機２０は、記憶部２２に記憶された印刷ジョブ２２ａを図６に示す状況確認画面としてモニタ２４に表示させ、記憶部２２に記憶された印刷ジョブ２２ａの印刷の指示を操作部２３に受け付けさせるようになっているが、複合機２０およびホストコンピュータ４０の２つの装置で本発明の画像形成装置を構成するようになっていても良い。つまり、複合機２０は、記憶部２２に記憶された印刷ジョブ２２ａを図６に示す状況確認画面としてホストコンピュータ４０のモニタに表示させ、記憶部２２に記憶された印刷ジョブ２２ａの印刷の指示をホストコンピュータ４０の操作部に受け付けさせるようになっていても良い。この場合、ホストコンピュータ４０のモニタが本発明のジョブ表示手段を構成し、ホストコンピュータ４０の操作部が本発明の印刷指示受付手段を構成することになる。
【００６１】
また、本発明の画像形成装置は、本実施の形態において複合機について説明しているが、コピー機、プリンタ、ファクシミリ機などの複合機以外の画像形成装置であっても良い。
【符号の説明】
【００６２】
２０  複合機（画像形成装置）
２１  制御部（制御手段）
２２  記憶部（ジョブ記憶手段）
２２ａ  印刷ジョブ
２３  操作部（印刷指示受付手段）
２４  モニタ（ジョブ表示手段）
２７  プリンタ（印刷手段）
【図１】
2011073181.tif 000003
【図２】
2011073181.tif 000004
【図３】
2011073181.tif 000005
【図４】
2011073181.tif 000006
【図５】
2011073181.tif 000007
【図６】
2011073181.tif 000008